(57)【要約】  【課題】  不正に使用される可能性を従来のものよりも低減することができる入退室管理システムを提供すること。  【解決手段】  入退室管理システム１０は、認証情報を取得するセンサ装置２０と、住宅のドアの鍵を施解錠する施解錠装置３０と、センサ装置２０及び施解錠装置３０の動作を制御する制御装置４０と、人物の認証結果に基づいて車両の動作状態を設定する車両制御装置５０とを有し、センサ装置２０は、人物の生体情報を取得するバイオセンサ２２を備え、制御装置４０は、認証処理を実行する制御部４４と、認証情報を記憶するメモリ４５とを備え、車両制御装置５０は、車両のドアの施解錠を制御する施解錠制御ユニット５３と、エンジンの始動を許可するエンジン始動許可ユニット５４と、施解錠制御ユニット５３及びエンジン始動許可ユニット５４の動作を制御する車両制御部５５とを備える。【選択図】  図２
2006112053.tif 000002
【特許請求の範囲】
【請求項１】
所定の領域に入出する人物を認証する認証装置と、この認証装置の認証結果に基づいて前記所定の領域の入出口に設けられたドアを施解錠する施解錠装置と、特定装置の動作状態を設定する動作状態設定装置とを有し、
前記動作状態設定装置は、前記ドアの施解錠に対応して、前記特定装置の動作が禁止された動作禁止状態及び前記特定装置の動作が許可された動作許可状態のいずれかの動作を行うことを特徴とする入退室管理システム。
【請求項２】
前記特定装置が前記所定の領域とは異なる領域にある場合、前記所定の領域に入ると前記特定装置を前記動作禁止状態とし、また、前記所定の領域から出ると前記特定装置を前記動作許可状態とする前記動作状態設定装置であることを特徴とする請求項１に記載の入退室管理システム。
【請求項３】
前記特定装置が前記所定の領域内にある場合、前記所定の領域に入ると前記特定装置を前記動作許可状態とし、また、前記所定の領域から出ると前記特定装置を前記動作禁止状態とする前記動作状態設定装置であることを特徴とする請求項１に記載の入退室管理システム。
【請求項４】
前記動作許可状態が設定されてから経過した時間を計時する計時手段を備え、前記動作状態設定装置は、前記計時手段によって所定時間が計時されたとき、前記特定装置を前記動作禁止状態とすることを特徴とする請求項１から請求項３までのいずれかに記載の入退室管理システム。
【請求項５】
前記動作禁止状態及び前記動作許可状態のいずれかを所定時間継続させる動作状態継続手段を備えたことを特徴とする請求項１から請求項４までのいずれかに記載の入退室管理システム。
【請求項６】
前記認証装置は、生体情報を入力する生体情報入力手段と、予め登録された登録生体情報を記憶するメモリと、前記生体情報と前記登録生体情報とが一致したとき、前記施解錠装置及び前記動作状態設定装置に所定の制御信号を出力する制御手段とを備えたことを特徴とする請求項１から請求項５までのいずれかに記載の入退室管理システム。
【請求項７】
前記生体情報を入力する携帯電話装置を備えたことを特徴とする請求項６に記載の入退室管理システム。
【請求項８】
前記特定装置は、移動体であることを特徴とする請求項１から請求項７までのいずれかに記載の入退室管理システム。
【請求項９】
前記認証装置は、前記動作状態設定装置と通信する第１の通信手段を備え、前記動作状態設定装置は、前記認証装置と通信する第２の通信手段を備え、前記特定装置は、前記動作状態設定装置を備えたことを特徴とする請求項１から請求項８までのいずれかに記載の入退室管理システム。
【請求項１０】
前記第１の通信手段は、無線ネットワークを介して前記第２の通信手段と通信することを特徴とする請求項９に記載の入退室管理システム。
【請求項１１】
前記第１の通信手段は、赤外線通信によって前記第２の通信手段と通信することを特徴とする請求項８に記載の入退室管理システム。
【発明の詳細な説明】
【技術分野】
【０００１】
本発明は、例えば車両や住宅のドアを認証情報に基づいて施解錠する入退室管理システムに関する。
【背景技術】
【０００２】
従来の入退室管理システムは、車両や住宅（以下「車両等」という。）のドアの施解錠装置の動作を制御する施解錠制御装置と、施解錠装置の使用回数を計数するカウンタを有する携帯機と、施解錠装置の使用制限値のデータを登録する更新制御装置とを備え、携帯機のカウンタ値が使用制限値以下の場合は施解錠制御装置によって車両等のドアが解錠され、携帯機のカウンタ値が使用制限値を超えた場合は施解錠制御装置によって車両等のドアが施錠されるようになっている（例えば、特許文献１参照。）。
【特許文献１】特開２００３−２２７２５６号公報（第４−７頁、第１図）
【発明の開示】
【発明が解決しようとする課題】
【０００３】
特許文献１に記載のものによれば、正規の利用者が施解錠装置の使用回数を設定できるため、たとえ携帯機を盗難されたり紛失したりしても、以前のものと比較して、携帯機の不正使用防止効果が向上している。
【０００４】
しかしながら、従来の入退室管理システムでは、正規の使用者から盗難された携帯機が使用された場合でも、車両等のドアの解錠が行われるという問題があった。
【０００５】
本発明は、このような問題を解決するためになされたものであり、不正使用される可能性を従来のものよりも低減することができる入退室管理システムを提供することを目的とする。
【課題を解決するための手段】
【０００６】
本発明の入退室管理システムは、所定の領域に入出する人物を認証する認証装置と、この認証装置の認証結果に基づいて前記所定の領域の入出口に設けられたドアを施解錠する施解錠装置と、特定装置の動作状態を設定する動作状態設定装置とを有し、前記動作状態設定装置は、前記ドアの施解錠に対応して、前記特定装置の動作が禁止された動作禁止状態及び前記特定装置の動作が許可された動作許可状態のいずれかの動作を行う構成を有している。
【０００７】
この構成により、本発明の入退室管理システムは、動作状態設定装置は、所定の領域に入る人物が認証されてドアが解錠されたとき、特定装置を動作禁止状態とするので、特定装置が不正に使用される可能性を従来のものよりも低減することができる。また、正規ユーザが不在時には、積極的に特定装置を使用できない状態にすることができる。
【０００８】
また、本発明の入退室管理システムは、前記特定装置が前記所定の領域とは異なる領域にある場合、前記所定の領域に入ると前記特定装置を前記動作禁止状態とし、また、前記所定の領域から出ると前記特定装置を前記動作許可状態とする前記動作状態設定装置である構成を有している。
【０００９】
この構成により、本発明の入退室管理システムは、特定装置が所定の領域の外部にある場合において、動作状態設定装置は、人物が所定の領域に入るときは特定装置を使用しないとみなして特定装置を動作禁止状態とし、人物が所定の領域から出るときは特定装置を使用する可能性があるとみなして特定装置を動作許可状態とするので、利用者の利便性を図ることができる。
【００１０】
さらに、本発明の入退室管理システムは、前記特定装置が前記所定の領域内にある場合、前記所定の領域に入ると前記特定装置を前記動作許可状態とし、また、前記所定の領域から出ると前記特定装置を前記動作禁止状態とする前記動作状態設定装置である構成を有している。
【００１１】
この構成により、本発明の入退室管理システムは、特定装置が所定の領域の内部にある場合において、動作状態設定装置は、人物が所定の領域に入るときは特定装置を使用する可能性があるとみなして特定装置を動作許可状態とし、人物が所定の領域から出るときは特定装置を使用しないとみなして特定装置を動作禁止状態とするので、利用者の利便性を図ることができる。
【００１２】
さらに、本発明の入退室管理システムは、前記動作許可状態が設定されてから経過した時間を計時する計時手段を備え、前記動作状態設定装置は、前記計時手段によって所定時間が計時されたとき、前記特定装置を前記動作禁止状態とする構成を有している。
【００１３】
この構成により、本発明の入退室管理システムは、動作状態設定装置は、計時手段によって所定時間が計時されたとき、特定装置を動作禁止状態とするので、特定装置が動作許可状態とされた後に直ぐに特定装置を使用しない場合でも特定装置を動作禁止状態とすることができ、特定装置が不正に使用される可能性を従来のものよりも低減することができる。
【００１４】
さらに、本発明の入退室管理システムは、前記動作禁止状態及び前記動作許可状態のいずれかを所定時間継続させる動作状態継続手段を備えた構成を有している。
【００１５】
この構成により、本発明の入退室管理システムは、動作状態継続手段は、動作禁止状態及び動作許可状態のいずれかを所定時間継続させるので、動作禁止状態にある特定装置を継続して動作禁止状態にしたり、動作許可状態にある特定装置を継続して動作許可状態にしたりすることを利用者に容易に実行させることができ、利用者の利便性を図ることができる。
【００１６】
さらに、本発明の入退室管理システムは、前記認証装置は、生体情報を入力する生体情報入力手段と、予め登録された登録生体情報を記憶するメモリと、前記生体情報と前記登録生体情報とが一致したとき、前記施解錠装置及び前記動作状態設定装置に所定の制御信号を出力する制御手段とを備えた構成を有している。
【００１７】
この構成により、本発明の入退室管理システムは、認証装置は、生体情報に基づいて所定の領域に入出する人物を認証し、施解錠装置及び動作状態設定装置の動作を制御するので、所定の領域及び特定装置が不正に使用される可能性を従来のものよりも低減することができる。
【００１８】
さらに、本発明の入退室管理システムは、前記生体情報を入力する携帯電話装置を備えた構成を有している。
【００１９】
この構成により、本発明の入退室管理システムは、利用者が携帯する携帯電話装置で生体情報を入力することができるので、利用者の利便性を図ることができる。
【００２０】
さらに、本発明の入退室管理システムは、前記特定装置は、移動体である構成を有している。
【００２１】
この構成により、本発明の入退室管理システムは、住宅への入出に応じて車やバイク等の施解錠を制御することができ、利用者の利便性を図ると共に、車やバイク等が不正に使用される可能性を従来のものよりも低減することができる。
【００２２】
さらに、本発明の入退室管理システムは、前記認証装置は、前記動作状態設定装置と通信する第１の通信手段を備え、前記動作状態設定装置は、前記認証装置と通信する第２の通信手段を備え、前記特定装置は、前記動作状態設定装置を備えた構成を有している。
【００２３】
この構成により、本発明の入退室管理システムの認証装置は、動作状態設定装置を備えた特定装置と通信するので、認証装置と特定装置とが離隔されている場合でも、入出する人物の認証結果に基づいて特定装置の動作状態を動作禁止状態に設定することができ、特定装置が不正に使用される可能性を従来のものよりも低減することができる。
【００２４】
さらに、本発明の入退室管理システムは、前記第１の通信手段は、無線ネットワークを介して前記第２の通信手段と通信する構成を有している。
【００２５】
この構成により、本発明の入退室管理システムは、認証装置は、無線通信によってインターネット等の既存のネットワークを介し、認証情報を動作状態設定装置に送信することができるので、既存の無線通信技術を利用してコストの低減化を図ることができる。
【００２６】
さらに、本発明の入退室管理システムは、前記第１の通信手段は、赤外線通信によって前記第２の通信手段と通信する構成を有している。
【００２７】
この構成により、本発明の入退室管理システムは、認証装置は、赤外線通信によって認証情報を動作状態設定装置に送信することができるので、既存の赤外線通信技術を利用してコストの低減化を図ることができる。
【発明の効果】
【００２８】
本発明は、認証を行うことでドア等の施解錠を行った結果をもとに、他の特定装置の動作可否状態を設定することにより、セキュリティが向上し不正使用される可能性を従来のものよりも低減することができる。
【発明を実施するための最良の形態】
【００２９】
以下、本発明の実施の形態について図面を用いて説明する。なお、本発明の入退室管理システムは、図１（ａ）に示すように、入出が管理される管理領域、例えば住宅や事務所等の外部に特定装置がある場合や、図１（ｂ）に示すように、管理領域の内部に特定装置がある場合等に適用することができ、前者を第１の実施の形態で説明し、後者を第２の実施の形態で説明する。
【００３０】
（第１の実施の形態）
まず、本発明の第１の実施の形態の入退室管理システムの構成について説明する。なお、本実施の形態の入退室管理システムによって入出が管理される住宅と、この住宅の外部に特定装置として車両がある場合を例に挙げて説明する。
【００３１】
図２に示すように、本実施の形態の入退室管理システム１０は、住宅に入出する人物の認証情報を取得するセンサ装置２０と、住宅のドアの鍵を施解錠する施解錠装置３０と、センサ装置２０及び施解錠装置３０の動作を制御する制御装置４０と、住宅に出入りする人物の認証結果に基づいて車両の動作状態を設定する車両制御装置５０とを備えている。
【００３２】
センサ装置２０は住宅のドア近傍の屋外に設置され、施解錠装置３０は住宅のドアの屋内側に設けられる。また、制御装置４０は住宅の内部に設置され、車両制御装置５０は車両の内部に設置される。なお、センサ装置２０及び制御装置４０は本発明の認証装置を構成し、車両制御装置５０は本発明の動作状態設定装置を構成している。また、車両は本発明の特定装置を構成している。
【００３３】
前述の車両の動作状態は、動作禁止状態及び動作許可状態を含んでいる。動作禁止状態は、車両のドアが施錠された施錠状態と、エンジンの始動が禁止された状態とを表している。動作許可状態は、車両のドアが解錠された解錠状態と、エンジンの始動が許可された状態と表している。
【００３４】
センサ装置２０は、所定範囲内において人物の有無を検知する人感センサ２１と、人物の生体情報を取得するバイオセンサ２２と、車両の動作状態を所定時間継続する状態継続スイッチ２３とを備えている。ここで、生体情報とは、人物の特徴を表す情報をいい、例えば音声、指紋、顔画像、虹彩、匂い、掌紋、指静脈、手の甲の静脈、網膜及び耳介等の情報をいう。なお、状態継続スイッチ２３は本発明の動作状態継続手段を構成している。
【００３５】
人感センサ２１は、例えば所定範囲内の温度変化を赤外線によって検知する赤外線センサで構成され、所定範囲内における人物の有無を検知し、その検知結果を電気信号に変換して出力するようになっている。
【００３６】
バイオセンサ２２は、例えば眼球内にある虹彩の模様を撮像する虹彩カメラで構成され、撮像した虹彩の模様を表す電気信号を出力するようになっている。
【００３７】
状態継続スイッチ２３は、例えば押しボタンスイッチで構成される。人物が認証される際に、状態継続スイッチ２３がオンにされていると、認証処理のみが実行され、車両の現在の動作状態が認証処理と連動して変更されないようになっている。
【００３８】
施解錠装置３０は、ドアをロックするロック駆動部及びロック駆動部を動作させる電子回路等で構成され、後述の制御装置４０からの信号に基づいてドアのロック及びドアのロック解除を実行するようになっている。
【００３９】
制御装置４０は、例えばパーソナルコンピュータで構成され、センサ装置２０及び施解錠装置３０に接続されたＩＦ（Ｉｎｔｅｒｆａｃｅ）部４１と、例えば無線ＬＡＮ（Ｌｏｃａｌ  Ａｒｅａ  Ｎｅｔｗｏｒｋ）を介して車両制御装置５０と通信する通信部４２と、ＩＦ部４１と通信部４２との間で信号を伝達するバス４３と、認証処理を実行する制御部４４と、認証情報及び所定のデータを記憶するメモリ４５と、時間を計時するタイマ４６と、電波信号を送受するアンテナ４７とを備えている。なお、通信部４２は本発明の第１の通信手段を構成し、タイマ４６は本発明の計時手段を構成している。
【００４０】
ＩＦ部４１は、人感センサ２１、バイオセンサ２２、状態継続スイッチ２３及び施解錠装置３０にそれぞれ接続された人感センサ用ＩＦ４１ａ、バイオセンサ用ＩＦ４１ｂ、状態継続スイッチ用ＩＦ４１ｃ及び施解錠装置用ＩＦ４１ｄで構成されている。
【００４１】
通信部４２は、変調回路、復調回路、フィルタ回路等によって構成され、アンテナ４７は、例えばロッドアンテナで構成されている。制御部４４は、ＣＰＵ、ＲＯＭ、ＲＡＭ等によって構成され、ＲＯＭに予め記憶されたプログラムに従って動作するようになっている。メモリ４５は、例えば不揮発性半導体メモリによって構成され、利用者を認証するための生体情報や後述の許可状態設定時間のデータ等を記憶するようになっている。
【００４２】
タイマ４６は、動作許可状態が設定されてから経過した時間（以下、「許可状態設定時間」という。）を計時するようになっており、許可状態設定時間を計時したときにその旨を示す信号を制御部４４に出力するようになっている。この許可状態設定時間は、利用者によって設定され、メモリ４５に記憶されるようになっている。例えば、住宅のドアから車両のドアまでの歩行時間に所望の余裕時間を加えた時間が許可状態設定時間として設定される。
【００４３】
車両制御装置５０は、電波信号を送受する車両アンテナ５１と、例えば無線ＬＡＮを介して制御装置４０と通信する車両通信部５２と、車両のドアの施解錠を制御する施解錠制御ユニット５３と、エンジンの始動を許可するエンジン始動許可ユニット５４と、施解錠制御ユニット５３及びエンジン始動許可ユニット５４の動作を制御する車両制御部５５とを備えている。なお、車両通信部５２は本発明の第２の通信手段を構成している。
【００４４】
車両アンテナ５１は、例えばフィルムアンテナで構成され、車両通信部５２は、変調回路、復調回路、フィルタ回路等によって構成されている。
【００４５】
施解錠制御ユニット５３は、車両のドアをロックするロック駆動部及びロック駆動部を動作させる電子回路等で構成され、車両制御部５５の出力信号に基づいてドアのロック及びドアのロック解除を実行するようになっている。
【００４６】
エンジン始動許可ユニット５４は、ＣＰＵ、ＲＯＭ、ＲＡＭ等によって構成され、車両制御部５５の出力信号に基づいて例えばエンジン点火電子装置の動作を制御するようになっている。
【００４７】
車両制御部５５は、ＣＰＵ、ＲＯＭ、ＲＡＭ等によって構成され、ＲＯＭに予め記憶されたプログラムに従って動作するようになっている。
【００４８】
なお、本実施の形態の入退室管理システム１０の構成において、センサ装置２０と制御装置４０との間、施解錠装置３０と制御装置４０との間の信号授受は、有線によるものに限定されるものではなく無線通信で行う構成としてもよい。また、制御装置４０と車両制御装置５０との間の通信は、無線ＬＡＮに限定されるものではなく、例えば赤外線通信によるものであってもよい。
【００４９】
次に、本実施の形態の入退室管理システム１０の動作について説明する。
【００５０】
最初に、車両で帰宅した人物、または、車両を使用しないで例えば徒歩で帰宅した人物が住宅内に入る場合を例に挙げ、図３を用いて説明する。ただし、初期状態として、車両は動作許可状態に設定され、施解錠装置３０は施錠状態に設定されているものとする。
【００５１】
まず、人感センサ２１によって、所定範囲内における人物の検出が開始され（ステップＳ１１）、車両から降りた人物がセンサ装置２０に近づいたか否かが判断される（ステップＳ１２）。ここで、人物がセンサ装置２０に近づいたと判断された場合は、バイオセンサ２２によって、人物の生体情報、例えば虹彩の情報が取得され（ステップＳ１３）、生体情報のデータが制御部４４に送られる。一方、ステップＳ１２において、人物がセンサ装置２０に近づいたと判断されなかった場合は、ステップＳ１２を繰り返す。
【００５２】
次いで、制御部４４によって、バイオセンサ２２が取得した生体情報とメモリ４５から読み出された生体情報とが照合され（ステップＳ１４）、これらの生体情報が一致して認証が正常に終了したか否かが判断される（ステップＳ１５）。認証が正常に終了したと判断された場合は、制御部４４によって、住宅のドアの解錠を指示する制御信号が施解錠装置３０に送信され、施解錠装置３０によって、住宅のドアの鍵が解錠される（ステップＳ１６）。一方、認証が正常に終了したと判断されなかった場合は、住宅のドアの鍵は解錠されず後述のステップＳ２０に進む。
【００５３】
引き続き、制御部４４によって、認証が正常に終了してから所定時間、例えば１０秒間が経過するまでの間に状態継続スイッチ２３がオンにされたか否かが判断される（ステップＳ１７）。状態継続スイッチ２３がオンにされる場合は、例えば、利用者が車両で帰宅後に短時間だけ住宅内に入り、再び車両ででかける場合のように、車両の動作許可状態を一定時間だけ継続しておきたい場合である。
【００５４】
ステップＳ１７において、状態継続スイッチ２３がオンにされたと判断されなかった場合は、制御部４４によって、車両を動作禁止状態にする指示信号が通信部４２及び車両通信部５２を介して車両制御部５５に送信される（ステップＳ１８）。人物が徒歩で帰宅した場合は、車両は移動していないので既に不許可状態かもしれないが、それでも車両を積極的に不許可状態にし、セキュリティの向上を図っている。
【００５５】
一方、ステップＳ１７において、状態継続スイッチ２３がオンにされたと判断された場合は、後述のステップＳ２０に進む。
【００５６】
次いで、車両制御部５５によって、車両のドアロックを指示する制御信号及びエンジンの始動の禁止を指示する制御信号が、それぞれ、施解錠制御ユニット５３及びエンジン始動許可ユニット５４に送信され、車両が動作禁止状態に設定される（ステップＳ１９）。
【００５７】
そして、人感センサ２１によって、人物がセンサ装置２０から遠ざかったか否かが判断される（ステップＳ２０）。ここで、人物がセンサ装置２０から遠ざかったと判断された場合は処理を終了し、人物がセンサ装置２０から遠ざかったと判断されなかった場合はステップＳ２０を繰り返す。
【００５８】
次に、住宅内にいた人物がドアから屋外に出る場合を例に挙げ、図４を用いて説明する。ただし、初期状態として、車両は動作禁止状態に設定され、施解錠装置３０は解錠状態に設定されているものとする。
【００５９】
まず、人感センサ２１によって、所定範囲内における人物の検出が開始され（ステップＳ３１）、住宅のドアから屋外に出た人物がセンサ装置２０に近づいたか否かが判断される（ステップＳ３２）。ここで、人物がセンサ装置２０に近づいたと判断された場合は、バイオセンサ２２によって、人物の生体情報、例えば虹彩の情報が取得され（ステップＳ３３）、生体情報のデータが制御部４４に送られる。一方、ステップＳ３２において、人物がセンサ装置２０に近づいたと判断されなかった場合は、ステップＳ３２を繰り返す。
【００６０】
次いで、制御部４４によって、バイオセンサ２２が取得した生体情報とメモリ４５から読み出された生体情報とが照合され（ステップＳ３４）、これらの生体情報が一致して認証が正常に終了したか否かが判断される（ステップＳ３５）。認証が正常に終了したと判断された場合は、制御部４４によって、住宅のドアの施錠を指示する制御信号が施解錠装置３０に送信され、施解錠装置３０によって、住宅のドアの鍵が施錠される（ステップＳ３６）。一方、認証が正常に終了したと判断されなかった場合は、後述のステップＳ４５に進む。
【００６１】
さらに、制御部４４によって、認証が正常に終了してから所定時間、例えば１０秒間が経過するまでの間に状態継続スイッチ２３がオンにされたか否かが判断される（ステップＳ３７）。状態継続スイッチ２３がオンにされる場合は、例えば、利用者が車両で帰宅後に短時間だけ住宅内に入り、再び車両ででかける場合のように、車両の動作許可状態を一定時間だけ継続しておきたい場合である。
【００６２】
ステップＳ３７において、状態継続スイッチ２３がオンにされなかったと判断された場合は、タイマ４６によって、計時が開始され（ステップＳ３８）、制御部４４によって、車両の動作許可状態にする指示信号が通信部４２及び車両通信部５２を介して車両制御部５５に送信される（ステップＳ３９）。一方、ステップＳ３７において、状態継続スイッチ２３がオンにされたと判断された場合は、後述のステップＳ４５に進む。
【００６３】
次いで、車両制御部５５によって、車両のドアロックの解除を指示する制御信号及びエンジンの始動の許可を指示する制御信号が、それぞれ、施解錠制御ユニット５３及びエンジン始動許可ユニット５４に送信され、車両が動作許可状態に設定される（ステップＳ４０）。
【００６４】
続いて、タイマ４６によって、許可状態設定時間を計時したか否かが判断される（ステップＳ４１）。ここで、許可状態設定時間を計時したと判断された場合は、制御部４４によって、車両を動作禁止状態にする指示信号が通信部４２及び車両通信部５２を介して車両制御部５５に送信される（ステップＳ４２）。
【００６５】
次いで、車両制御部５５によって、車両のドアロックを指示する制御信号及びエンジンの始動の禁止を指示する制御信号が、それぞれ、施解錠制御ユニット５３及びエンジン始動許可ユニット５４に送信され、車両が動作禁止状態に設定される（ステップＳ４３）。
【００６６】
一方、ステップＳ４１において許可状態設定時間を計時したと判断されなかった場合は、利用者による車両の操作が行われたか否かが判断される（ステップＳ４４）。ここで、利用者による車両の操作が行われたと判断された場合は、後述のステップＳ４５に進み、利用者による車両の操作が行われたと判断されなかった場合は、ステップＳ４１に戻る。
【００６７】
そして、人感センサ２１によって、人物がセンサ装置２０から遠ざかったか否かが判断される（ステップＳ４５）。ここで、人物がセンサ装置２０から遠ざかったと判断された場合は処理を終了し、人物がセンサ装置２０から遠ざかったと判断されなかった場合はステップＳ４５を繰り返す。
【００６８】
なお、センサ装置２０の位置から利用者が車両を視認できない場合は、ステップＳ３６においてドアの鍵を施錠した後、車両を動作許可状態に設定しない動作を行わせることもできる。例えば、利用者が車両を使用しないときは、状態継続スイッチ２３を使用して車両を動作禁止状態に維持し続けるようにしてもよい。また、センサ装置２０から車両のドアまでの間に新たに人感センサを１つ以上設け、利用者が車両を視認できる位置に到達した場合に車両のドアロックを解除するようにしてもよい。
【００６９】
以上のように、本実施の形態の入退室管理システム１０によれば、制御部４４は、バイオセンサ２２によって取得された生体情報とメモリ４５から読み出された生体情報との照合結果に基づいて施解錠装置３０の制御及び車両の動作状態の設定を実行し、住宅に入る人物の認証が正常に終了して住宅のドアが解錠された場合は、利用者が車両を使用しないと判断して車両の動作状態を動作禁止状態に設定する構成としたので、不正使用される可能性を従来のものよりも低減することができる。また、正規ユーザが不在時には、積極的に特定装置を使用できない状態にすることができる。
【００７０】
また、本実施の形態の入退室管理システム１０によれば、状態継続スイッチ２３は、住宅に入る人物の認証が正常に終了した後に車両の動作状態を所定時間継続させる構成としたので、利用者が車両の動作可否状態を変更したくない場合の利便性の向上を図ることができる。
【００７１】
また、本実施の形態の入退室管理システム１０によれば、制御部４４は、バイオセンサ２２によって取得された生体情報とメモリ４５から読み出された生体情報との照合結果に基づいて施解錠装置３０の制御及び車両の動作状態の設定を実行し、住宅から出る人物の認証が正常に終了して住宅のドアが施錠された場合は、利用者が車両を使用する可能性があると判断して車両の動作状態を一定時間だけ動作許可状態に設定する構成としたので、利用者が車両を利用する際の利便性の向上を図ることができる。
【００７２】
なお、前述の実施の形態において、車両を特定装置とする例を挙げて説明したが、本発明はこれに限定されるものではなく、車両以外の移動体や屋外で使用する装置等を特定装置としても同様の効果を得ることができる。
【００７３】
また、前述の実施の形態において、生体情報に基づいて人物を認証する例を挙げて説明したが、本発明はこれに限定されるものではなく、例えば暗証番号によって認証する構成としても同様の効果を得ることができる。
【００７４】
また、前述の実施の形態において、バイオセンサ２２が生体情報を取得する例を挙げて説明したが、本発明はこれに限定されるものではなく、例えば携帯電話装置によって生体情報を取得する構成としても同様の効果を得ることができる。具体的には、例えばカメラ付き携帯電話装置で虹彩を撮影し、インターネットを介して虹彩のデータを通信部４２に送信して認証処理を行うようにしてもよい。
【００７５】
（第２の実施の形態）
まず、本発明の第２の実施の形態の入退室管理システムの構成について説明する。なお、本実施の形態の入退室管理システムによって入出が管理される会社内の居室と、この居室の内部に特定装置としてのパーソナルコンピュータ（以下「ＰＣ」という。）がある場合を例に挙げて説明する。
【００７６】
図５に示すように、本実施の形態の入退室管理システム６０は、会社内の居室に入出する人物の認証情報を取得するセンサ装置７０と、会社内の居室のドアの鍵を施解錠する施解錠装置８０と、センサ装置７０及び施解錠装置８０の動作を制御する制御装置９０と、会社内の居室に出入りする人物の認証結果に基づいて居室内に設置されたＰＣの動作状態を設定するＰＣ制御装置１００とを備えている。
【００７７】
センサ装置７０は居室のドア近傍の居室外側に設置され、施解錠装置８０は居室のドアの居室内側に設けられる。また、制御装置９０は居室の内部に設置され、ＰＣ制御装置１００はＰＣに内蔵されている。なお、センサ装置７０及び制御装置９０は本発明の認証装置を構成し、ＰＣ制御装置１００は本発明の動作状態設定装置を構成している。また、ＰＣは本発明の特定装置を構成している。
【００７８】
前述のＰＣの動作状態は、ＰＣに備えられた入力デバイスの操作が禁止された状態を表す動作禁止状態と、入力デバイスの操作が許可された状態を表す動作許可状態とを含んでいる。
【００７９】
センサ装置７０、施解錠装置８０及び制御装置９０の構成は、本発明の第１の実施の形態に係る入退室管理システム１０のセンサ装置２０、施解錠装置３０及び制御装置４０の構成と同様であるので、これらの詳細な説明は省略する。ただし、センサ装置７０は、センサ装置２０から状態継続スイッチ２３が除かれ、制御装置９０のＩＦ部９１は、制御装置４０のＩＦ部４１から状態継続スイッチ用ＩＦ４１ｃが除かれたものである。また、メモリ９５は、例えば、居室のドアからＰＣまでの歩行時間に所望の余裕時間を加えた時間を許可状態設定時間として記憶するようになっている。また、タイマ９６は、許可状態設定時間を計時するようになっており、許可状態設定時間を計時したときにその旨を示す信号を制御部９４に出力するようになっている。
【００８０】
ＰＣ制御装置１００は、電波信号を送受するＰＣアンテナ１０１と、例えば無線ＬＡＮを介して制御装置９０と通信するＰＣ通信部１０２と、ＰＣに備えられた入力デバイスを制御する入力デバイス制御ユニット１０３と、入力デバイス制御ユニット１０３の動作を制御するＰＣ制御部１０４とを備えている。なお、ＰＣ通信部１０２は本発明の第２の通信手段を構成している。
【００８１】
ＰＣアンテナ１０１は、例えばロッドアンテナで構成され、ＰＣ通信部１０２は、変調回路、復調回路、フィルタ回路等によって構成されている。
【００８２】
入力デバイス制御ユニット１０３は、ＣＰＵ、ＲＯＭ、ＲＡＭ等によって構成され、ＰＣ制御部１０４の出力信号に基づいてキーボード、マウス、タブレット等の入力デバイスのロック及びロック解除を実行するようになっている。
【００８３】
ＰＣ制御部１０４は、ＣＰＵ、ＲＯＭ、ＲＡＭ等によって構成され、ＲＯＭに予め記憶されたプログラムに従って動作するようになっている。
【００８４】
なお、本実施の形態の入退室管理システム６０の構成において、センサ装置７０と制御装置９０との間、施解錠装置８０と制御装置９０との間の信号授受は、有線によるものに限定されるものではなく無線通信で行う構成としてもよい。また、制御装置９０とＰＣ制御装置１００との間の通信は、無線ＬＡＮに限定されるものではなく、例えば赤外線通信によるものであってもよい。
【００８５】
次に、本実施の形態の入退室管理システム６０の動作について説明する。
【００８６】
最初に、居室内にいたＰＣの所有者がドアから居室外に出る場合を例に挙げ、図６を用いて説明する。ただし、初期状態として、ＰＣの本体は通常の動作に応じてオン又はオフするが、ＰＣに備えられた、認証装置と通信する送受信装置のみは、認証装置からの信号を常時受信できるものとする。
【００８７】
まず、人感センサ７１によって、所定範囲内における人物の検出が開始され（ステップＳ５１）、居室のドアから居室外に出た人物がセンサ装置７０に近づいたか否かが判断される（ステップＳ５２）。ここで、人物がセンサ装置７０に近づいたと判断された場合は、バイオセンサ７２によって、人物の生体情報、例えば虹彩の情報が取得され（ステップＳ５３）、生体情報のデータが制御部９４に送られる。一方、ステップＳ５２において、人物がセンサ装置７０に近づいたと判断されなかった場合は、ステップＳ５２を繰り返す。
【００８８】
次いで、制御部９４によって、バイオセンサ７２が取得した生体情報とメモリ９５から読み出された生体情報とが照合され（ステップＳ５４）、これらの生体情報が一致して認証が正常に終了したか否かが判断される（ステップＳ５５）。認証が正常に終了したと判断された場合は、制御部９４によって、居室のドアの施錠を指示する制御信号が施解錠装置８０に送信され、施解錠装置８０によって、居室のドアの鍵が施錠される（ステップＳ５６）。一方、認証が正常に終了したと判断されなかった場合は、後述のステップＳ５９に進む。
【００８９】
続いて、制御部９４によって、ＰＣを動作禁止状態にする指示信号が通信部９２及びＰＣ通信部１０２を介してＰＣ制御部１０４に送信される（ステップＳ５７）。
【００９０】
次いで、ＰＣ制御部１０４によって、ＰＣの入力デバイスのロックを指示する制御信号が入力デバイス制御ユニット１０３に送信され、ＰＣが動作禁止状態に設定される（ステップＳ５８）。
【００９１】
そして、人感センサ７１によって、人物がセンサ装置７０から遠ざかったか否かが判断される（ステップＳ５９）。ここで、人物がセンサ装置７０から遠ざかったと判断された場合は処理を終了し、人物がセンサ装置７０から遠ざかったと判断されなかった場合はステップＳ５９を繰り返す。
【００９２】
次に、ＰＣの所有者が居室内に入る場合を例に挙げ、図７を用いて説明する。ただし、初期状態として、ＰＣは電源が投入された状態で動作禁止状態に設定され、施解錠装置８０は施錠状態に設定されているものとする。
【００９３】
まず、人感センサ７１によって、所定範囲内における人物の検出が開始され（ステップＳ６１）、人物がセンサ装置７０に近づいたか否かが判断される（ステップＳ６２）。ここで、人物がセンサ装置７０に近づいたと判断された場合は、バイオセンサ７２によって、人物の生体情報、例えば虹彩の情報が取得され（ステップＳ６３）、生体情報のデータが制御部９４に送られる。一方、ステップＳ６２において、人物がセンサ装置７０に近づいたと判断されなかった場合は、ステップＳ６２を繰り返す。
【００９４】
次いで、制御部９４によって、バイオセンサ７２が取得した生体情報とメモリ９５から読み出された生体情報とが照合され（ステップＳ６４）、これらの生体情報が一致して認証が正常に終了したか否かが判断される（ステップＳ６５）。認証が正常に終了したと判断された場合は、制御部９４によって、居室のドアの解錠を指示する制御信号が施解錠装置８０に送信され、施解錠装置８０によって、居室のドアの鍵が解錠される（ステップＳ６６）。一方、認証が正常に終了したと判断されなかった場合は、後述のステップＳ６９に進む。
【００９５】
引き続き、制御部９４によって、ＰＣを動作許可状態にする指示信号が通信部９２及びＰＣ通信部１０２を介してＰＣ制御部１０４に送信される（ステップＳ６７）。
【００９６】
次いで、ＰＣ制御部１０４によって、ＰＣの入力デバイスのロック解除を指示する制御信号が入力デバイス制御ユニット１０３に送信され、ＰＣが動作許可状態に設定される（ステップＳ６８）。
【００９７】
そして、人感センサ７１によって、人物がセンサ装置７０から遠ざかったか否かが判断される（ステップＳ６９）。ここで、人物がセンサ装置７０から遠ざかったと判断された場合は処理を終了し、人物がセンサ装置７０から遠ざかったと判断されなかった場合はステップＳ６９を繰り返す。
【００９８】
以上のように、本実施の形態の入退室管理システム６０によれば、制御部９４は、バイオセンサ７２によって取得された生体情報とメモリ９５から読み出された生体情報との照合結果に基づいて施解錠装置８０の制御及びＰＣの動作状態の設定を実行し、会社内の居室から出る人物の認証が正常に終了して居室のドアが施錠された場合は、利用者がＰＣを使用しないと判断してＰＣの動作状態を動作禁止状態に設定する構成としたので、正規ユーザの不在時におけるパスワード入力前の初期操作までも禁止させることができ、セキュリティが向上し不正使用される可能性を従来のものよりも低減することができる。また、正規ユーザが不在時には、積極的に特定装置を使用できない状態にすることができる。
【００９９】
また、本実施の形態の入退室管理システム６０によれば、制御部９４は、バイオセンサ７２によって取得された生体情報とメモリ９５から読み出された生体情報との照合結果に基づいて施解錠装置８０の制御及びＰＣの動作状態の設定を実行し、会社内の居室に入る人物の認証が正常に終了して居室のドアが解錠された場合は、利用者がＰＣを使用する可能性があると判断してＰＣの動作状態を動作許可状態に設定する構成としたので、利用者がＰＣを利用する際の利便性の向上を図ることができる。
【０１００】
なお、前述の実施の形態において、ＰＣ制御装置１００がＰＣの入力デバイスの操作を禁止してＰＣを動作禁止状態にする例を挙げて説明したが、本発明はこれに限定されるものではなく、例えばＰＣに備えられた記憶装置の動作を禁止したり、画面表示を停止したりすることによってＰＣを動作禁止状態にする構成としても同様の効果を得ることができる。
【産業上の利用可能性】
【０１０１】
以上のように、本発明に係る入退室管理システムは、認証を行うことでドア等の施解錠を行った結果をもとに、他の特定装置の動作可否状態を設定することにより、セキュリティが向上し不正使用される可能性を従来のものよりも低減することができるという効果を有し、車両や住宅のドアを認証情報に基づいて施解錠する入退室管理システム等として有用である。
【図面の簡単な説明】
【０１０２】
【図１】（ａ）本発明の入退室管理システムによって入出が管理される管理領域の外部に特定装置がある場合を示す図  （ｂ）本発明の入退室管理システムによって入出が管理される管理領域の内部に特定装置がある場合を示す図
【図２】本発明の第１の実施の形態の入退室管理システムのブロック図
【図３】本発明の第１の実施の形態の入退室管理システムにおいて車両から降りた人物が住宅内に入る場合の各ステップのフローチャート
【図４】本発明の第１の実施の形態の入退室管理システムにおいて住宅内にいた人物がドアから屋外に出る場合の各ステップのフローチャート
【図５】本発明の第２の実施の形態の入退室管理システムのブロック図
【図６】本発明の第２の実施の形態の入退室管理システムにおいて居室内にいたＰＣの所有者がドアから居室外に出る場合の各ステップのフローチャート
【図７】本発明の第２の実施の形態の入退室管理システムにおいてＰＣの所有者が居室内に入る場合の各ステップのフローチャート
【符号の説明】
【０１０３】
１０、６０  入退室管理システム
２０、７０  センサ装置（認証装置）
２１、７１  人感センサ
２２、７２  バイオセンサ（生体情報入力手段）
２３  状態継続スイッチ（動作状態継続手段）
３０、８０  施解錠装置
４０、９０  制御装置（認証装置）
４１、９１  ＩＦ部
４１ａ、９１ａ  人感センサ用ＩＦ
４１ｂ、９１ｂ  バイオセンサ用ＩＦ
４１ｃ  状態継続スイッチ用ＩＦ
４１ｄ、９１ｄ  施解錠装置用ＩＦ
４２、９２  通信部（第１の通信手段）
４３、９３  バス
４４、９４  制御部（制御手段）
４５、９５  メモリ
４６、９６  タイマ（計時手段）
４７、９７  アンテナ
５０  車両制御装置（動作状態設定装置）
５１  車両アンテナ
５２  車両通信部（第２の通信手段）
５３  施解錠制御ユニット
５４  エンジン始動許可ユニット
５５  車両制御部
１００  ＰＣ制御装置（動作状態設定装置）
１０１  ＰＣアンテナ
１０２  ＰＣ通信部（第２の通信手段）
１０３  入力デバイス制御ユニット
１０４  ＰＣ制御部
【図１】
2006112053.tif 000003
【図２】
2006112053.tif 000004
【図３】
2006112053.tif 000005
【図４】
2006112053.tif 000006
【図５】
2006112053.tif 000007
【図６】
2006112053.tif 000008
【図７】
2006112053.tif 000009